(57)【要約】【課題】屋外環境でのデジタル伝送においては、伝送路の変化や伝送特性の向上といった観点から誤り訂正が必須であるが、バースト誤りのように連続した誤りが発生すると訂正能力を超えてしまい、訂正が不可能となる。これに対し、時間インターリーブによりバースト誤りを分散させることが可能であるが、伝送遅延時間が大きく、双方向通信では用いることが困難である。【解決手段】直交変調を用いた情報伝達手段において、直交成分と同相成分に重複して同一のデータをのせ、それらのデータの並びをそれぞれ独立に並び替える。これにより、従来の半分の時間で全データを受信できるので、プリアンブルだけで伝送路推定する無線LANではフェージング環境の耐性向上が実現できる。さらには、全区間中、最大で半分のデータがバースト的な雑音の影響を受けても、残りのデータで復調できるため、時間インターリーブと同様な効果を得られ、安定した受信が可能となる。【選択図】図２
2014039091.tif 000002
【特許請求の範囲】
【請求項１】
直交変調を用いた情報伝達手段であって、
送信するデータ系列を直交変調する際に、
搬送波の同相成分と直交成分の全てまたは一部のデータを重複して搬送波を変調することを特徴とする情報伝達手段。
【請求項２】
前記同相成分のデータの時系列の並びと前記直交成分のデータの時系列の並びを、
それぞれ独立して任意に並び替えることを特徴とする請求項１記載の情報伝達手段。
【請求項３】
OFDM変調を用いた情報伝達手段であって、
送信するデータ系列をOFDM変調する際に、
搬送波の同相成分と直交成分の全てまたは一部のデータを重複して搬送波を変調することを特徴とする情報伝達手段。
【請求項４】
前記同相成分のデータの時系列の並びと前記直交成分のデータの時系列の並びを、
それぞれ独立して任意に並び替えることを特徴とする請求項３記載の情報伝達手段。
【請求項５】
搬送波の同相成分と直交成分に全てまたは一部のデータが重複して存在する信号を受信する情報伝達装置であって、
入力される2つ以上のデータから1つを選択し出力するデータ選択部を備え、
前記データ選択部において、前記同相成分と前記直交成分で重複するデータからいずれかを一方を選択することを特徴とする情報伝達装置。
【請求項６】
搬送波の同相成分と直交成分に全てまたは一部のデータ系列が重複して存在する信号を受信する情報伝達装置であって、
入力される2つ以上のデータを用いて合成演算を行う合成演算部を備え、
前記合成演算部において、前記同相成分と前記直交成分で重複するデータを用いて合成演算を行うことを特徴とする情報伝達装置。
【請求項７】
ＯＦＤＭ変調信号によりデータを送信する情報伝達装置であって、
データを所定の規則に従いＩＱベクトルにマッピングするマッピング手段と、前記ＩＱベクトルを所定の規則に従い、少なくともπ／２シフトまたは０シフトする位相回転手段と、前記位相回転手段の出力するＩＱベクトルをサブキャリアとし、直交周波数多重することを特徴とする情報伝達装置
【請求項８】
ＯＦＤＭ変調信号によりデータを１ＯＦＤＭシンボル内に２回繰り返し送信する情報伝達装置であって、
データを所定の規則に従いＩＱベクトルにマッピングするマッピング手段と、前記ＩＱベクトルもπ／２シフトする位相回転手段と、前記位相回転手段の出力するＩＱベクトルと前記マッピング手段のＩＱベクトルを１ＯＦＤＭシンボル内に直交周波数多重することを特徴とする情報伝達装置
【発明の詳細な説明】
【技術分野】
【０００１】
本発明は、情報伝達手段および情報伝達装置に関する。
【背景技術】
【０００２】
これまで、ＩＥＥＥ８０２．１１における無線ＬＡＮ規格の取り組みでは、屋内通信をメインターゲットとし、物理層の規格として１１ｂ（最大１１Ｍｂｐｓ）、１１ａおよび１１ｇ（最大５４Ｍｂｐｓ）、１１ｎ（最大６００Ｍｂｐｓ）、１１ａｃ（最大６．９Ｇｂｐｓ）と、主に伝送容量の増大を主点とした規格の更新が続いている。一方で、スマートグリットを実現するためのスマートメーターの検討が本格化している。それに伴い、屋外における低レート伝送の必要性も高まってきており、このような用途に向けた特定小電力無線の使用可能な周波数の割り当てなどの議論も続いている。これらの背景から、サブＧＨｚ帯を用いた新たな通信規格策定へ向けた検討が始まり、ＩＥＥＥ８０２．１１においても１ＧＨｚ以下の周波数帯を用いた無線ＬＡＮ規格を検討内容としたＴＧａｈが２０１０年に立ち上がっている。ＴＧａｈにおける主な要求仕様は、「データレート１００ｋｂｐｓ・最大伝送距離１ｋｍ」である。
【０００３】
ＴＧａｈにおいては、この要求仕様を満たすべく、従来の無線ＬＡＮ規格からの技術変更案が各社から提案されている。中でも、ローパワー出力による伝送距離１ｋｍを確保するには、従来無線ＬＡＮで用いられていた、伝送誤り耐性の一番高い方式である、ＢＰＳＫ（Ｂｉｎａｒｙ  Ｐｈａｓｅ  Ｓｈｉｆｔ  Ｋｅｙｉｎｇ）変調・誤り訂正（畳み込み符号）符号化率１／２よりも強靭な伝送方式が必要であると考えられている。このため、ＴＧａｈでは、同じデータを繰り返し送信することによりロバスト性を高めることが有力な手立てとして挙がっている。
【０００４】
繰返し送信の方式としては、非特許文献１がある。非特許文献１のＳｌｉｄｅ４に示されるように、ＯＦＤＭシンボル前後で同じデータを送信することで３ｄＢの利得を得ている。また、非特許文献１では、繰返しの方法として、３つのパターンを提示している。
【０００５】
一つ目は、サブキャリアに対するデータの配置と同様のまま、単純にシンボル方向に繰返し送信を行っている。受信側においては、同じデータを受信することを利用して、データを合成復号することで、３ｄＢのパワー利得を得ることができ、ロバスト性が高まる。
【０００６】
二つ目は、同一シンボル内で、同一データを別のサブキャリアへ配置する構成である。繰り返しとして、２回同じデータを送っており、受信側においては、先ほどと同様に、合成復号することで３ｄＢのパワー利得を得ることができ、同じデータが異なるサブキャリア位置に存在するため、マルチパス干渉が存在して特定のキャリアが消失して復号困難な場合でも、別のサブキャリア位置における同一データが消失していなければ、そのサブキャリアのデータを利用して復調可能となり、周波数ダイバーシティ効果を得ることができる。
【０００７】
三つ目は、非特許文献１のＳｌｉｄｅ５に示されるようにサブキャリア方向に交換して配置する構成である。ここでも、繰り返しとして２回同じデータを送っており、受信側においては、同じデータであること利用して合成復号することで、３ｄＢのパワー利得を得ることができ、ロバスト性を高めることができる。さらに同じデータが異なるサブキャリア位置に存在するため、マルチパス干渉が存在して特定のキャリアが消失して復号困難な場合でも、別のサブキャリア位置における同一データが消失していなければ、そのサブキャリアのデータを利用して復調可能となり、周波数ダイバーシティ効果を得ることができる。
【０００８】
しかしながら、屋外環境でのデジタル伝送においては、伝送路の変化や伝送特性の向上といった観点から誤り訂正が必須であるが、バースト誤りのように連続した誤りが発生すると訂正能力を超えてしまい、訂正が不可能となる。非特許文献２にあるように地上波デジタルテレビジョン放送の伝送方式においては、時間インターリーブの機能があり、バースト誤りを分散させることが可能である。ただし、伝送遅延時間が大きく、双方向通信では用いることが困難という課題がある。
【０００９】
一方、非特許文献３に記載のように、無線LANシステムでは時間インターリーブが用いられておらず、バースト誤り発生時には誤り訂正能力を超えてパケットエラーとなる課題がある。
【００１０】
さらに、繰り返し伝送法として、同一のサブキャリアへ配置した場合、同一データの位相が同じであることから、時間軸波形の振幅のピーク対平均電力比（Ｐｅａｋ  ｔｏ  Ａｖｅｒａｇｅ  Ｐｏｗｅｒ  Ｒａｔｉｏ：以下  ＰＡＰＲと称す。）が高くなる。このＰＡＰＲが高いと平均電力に対して、瞬時的な大電力が必要になり、特に送信機内の信号増幅器は高い線形性特性が要求されることから、信号増幅器は高価格なものかつ消費電力のおおきなものとなる。特に消費電力が大きいと、モバイル端末には不向きである。また従来と同じ特性の信号増幅器を使用した場合は、無線信号に多くの歪みが発生し、送信品質が劣化するだけでなく、隣接チャンネルへの干渉妨害も懸念される。
【００１１】
また、特許文献１においては、無線ＬＡＮにおける伝送路等化について記載している。特許文献１の図１２に示す基準シンボルで伝送路推定をすることで、伝送路等化を行っており、基準シンボルは１伝送フレームの先頭に配置されている。
【００１２】
しかしながら、ＴＧａｈの要求仕様である、１ｋｍ伝送を確保するには屋外でのフェージング環境での受信が必須となる。特許文献１に示す伝送路等化では、フレームの先頭時の伝送路推定結果のみから伝送路等化を行うため、フレーム長が長い場合は、伝送路の変動に追従できない。さらには、非特許文献１記載の繰返し伝送においては、フレーム長が２倍程度になるため、特許文献１に示す伝送路等化では、伝送路変動への追従がより困難になるという課題がある。
【先行技術文献】
【特許文献】
【００１３】
【特許文献１】特開２００１−６９１１９号公報
【非特許文献】
【００１４】
【非特許文献１】HeejungYu他２名、“Repetition Schemes for TGah”、2011年11月7日、ＩＥＥＥ、インターネット（ＵＲＬ：https://mentor.ieee.org/802.11/documents?is_group=00ah,11-11-1490-01-00ah-repetition-schemes-for-tgah.pptx）
【非特許文献２】ARIB  STD-B31  「地上波デジタルテレビジョン放送の伝送方式」
【非特許文献３】IEEE  Std.  802.11-2012  「Part 11:Wireless LAN Medium Access Control (MAC) and Physical Layer(PHY) Specifications」
【発明の概要】
【発明が解決しようとする課題】
【００１５】
そこで本発明は、受信機で処理の遅延を必要とせず、バースト誤りへの耐性を強化する情報伝達手段を提供すること、および伝送路変動時の耐性向上可能で、かつＰＡＰＲ低減可能な情報伝達手段を提供することを目的とする。
【課題を解決するための手段】
【００１６】
第１の発明に係る情報伝達手段は、直交変調を用いた情報伝達手段であって、送信するデータ系列を直交変調する際に、同相成分と直交成分の全てまたは一部のデータを重複して搬送波を変調することで、情報を伝達する。
【００１７】
この手段により、情報の伝達に要する時間を増やすことなく、繰り返し伝送と同等の処理を行える。
【００１８】
第２の発明に係る情報伝達手段は、第１の発明に加えて、同相成分のデータの時系列の並びと直交成分のデータの時系列の並びを、それぞれ独立して任意に並び替え、情報を伝達する。
【００１９】
この手段により、受信機での処理の遅延を必要とせずバースト誤り耐性を向上でき、また伝送路変動時の耐性も向上する情報伝達手段を実現できる。
【００２０】
第３の発明に係る情報伝達手段は、OFDM変調を用いた情報伝達手段であって、送信するデータ系列をOFDM変調する際に、同相成分と直交成分の全てまたは一部のデータを重複して搬送波を変調することで、情報を伝達する。
【００２１】
この手段により、情報の伝達に要する時間を増やすことなく、繰り返し伝送と同等の処理を行える。
【００２２】
第４の発明に係る情報伝達手段は、第３の発明に加えて、同相成分のデータの時系列の並びと直交成分のデータの時系列の並びを、それぞれ独立して任意に並び替え、情報を伝達する。
【００２３】
この手段により、受信機での処理の遅延を必要とせずバースト誤り耐性を向上でき、また伝送路変動時の耐性も向上する情報伝達手段を実現できる。
【００２４】
第５の発明に係る情報伝達装置は、搬送波の同相成分と直交成分に全てまたは一部のデータが重複して存在する信号を受信する情報伝達装置であって、入力される2つ以上のデータから1つを選択し出力するデータ選択部を備え、データ選択部において同相成分と直交成分で重複するデータからいずれかを一方を選択する。
【００２５】
この構成により、重複するデータからより雑音の影響が少ないデータを選択し、受信処理を行うことで、雑音耐性を向上できる。
【００２６】
第６の発明に係る情報伝達装置は、搬送波の同相成分と直交成分に全てまたは一部のデータが重複して存在する信号を受信する情報伝達装置であって、入力される2つ以上のデータを用いて合成演算を行う合成演算部を備え、合成演算部において同相成分と直交成分で重複するデータを用いて合成演算を行う。
【００２７】
この構成により、合成演算により最大で３ｄＢのパワー利得を得ることで、雑音耐性を向上できる。
【発明の効果】
【００２８】
本発明によれば、全区間中、最大で半分のデータがバースト的な雑音の影響を受けても、残りのデータで復調できるため、バースト誤りへの耐性を向上することができる。
【００２９】
さらには、最短で従来の半分の時間で全データを受信することが可能であるため、プリアンブルだけで伝送路推定する無線LANでは、フェージング環境における伝送路変動時の耐性向上が実現できる。さらには、繰り返し伝送した場合でも、ＰＡＰＲの低減を実現することが出来る。
【図面の簡単な説明】
【００３０】
【図１】送信するデータの時系列の並びを示す図である。
【図２】本発明の実施の形態１における送信システムの構成を示すブロック図である。
【図３】本発明の実施の形態１におけるデータ順序並び替え処理後のデータの時系列の並びを示す図である。
【図４】本発明の実施の形態１におけるデータ間引き処理後のデータの時系列の並びを示す図である。
【図５】本発明の実施の形態１におけるデータ間引き処理後のデータの時系列の並びを示す図である。
【図６】本発明の実施の形態１における受信システムの構成を示すブロック図である。
【図７】本発明の実施の形態１における直交復調後のデータの時系列の並びを示す図である。
【図８】本発明の実施の形態１におけるＰ／Ｓ変換後のデータの時系列の並びを示す図である。
【図９】本発明の実施の形態２における受信システムの構成を示すブロック図である。
【図１０】本発明の実施の形態２における直交復調後のデータの時系列の並びを示す図である。
【図１１】本発明の実施の形態２におけるデータ順序並び替え処理後のデータの時系列の並びを示す図である。
【図１２】本発明の実施の形態２におけるデータ選択後のデータの時系列の並びを示す図である。
【図１３】本発明の実施の形態３における受信システムの構成を示すブロック図である。
【図１４】本発明の実施の形態２における直交復調後のデータの時系列の並びを示す図である。
【図１５】本発明の実施の形態２におけるデータ順序並び替え処理後のデータの時系列の並びを示す図である。
【図１６】本発明の実施の形態２における合成演算後のデータの時系列の並びを示す図である。
【図１７】本発明の実施の形態４における送信システムの構成を示すブロック図である。
【図１８】本発明の実施の形態４における受信システムの構成を示すブロック図である。
【図１９】本発明の実施の形態５における受信システムの構成を示すブロック図である。
【図２０】本発明の実施の形態６における受信システムの構成を示すブロック図である。
【図２１】実施形態７の送信システムのブロック図である。
【図２２】ＢＰＳＫマッピングのＩＱベクトル図である。
【図２３】ＢＰＳＫマッピングのＩＱベクトル図である。
【図２４】第１位相回転回路と第２位相発生回路の出力の関係を表すＢＰＳＫマッピングのＩＱベクトル図である。
【図２５】周波数領域ＯＦＤＭサブキャリア周波数配置の模式図である。
【図２６】実施形態７の受信システムのブロック図である。
【図２７】実施形態８の送信システムのブロック図である。
【図２８】実施形態８のＱＰＳＫマッピング入力データのタイミングチャート図である。
【図２９】実施形態８の受信システムのブロック図である。
【発明を実施するための形態】
【００３１】
（実施形態１）
以下、本発明に係る情報伝達システムにおける送信データの生成方法について、図面を参照しながら説明する。
【００３２】
図１は、デジタルデータで構成される、データ系列ｄ（ｔ）１０１の時系列のデータの並びを示している。ｄ０〜ｄ７の値は０または１である。なお、ここではデータ数を８個として説明するが、これに限られるものではなく、データ数は自然数であればいくつであってもよい。
【００３３】
図２は、本発明の第１の実施形態に係る情報伝送手段の送信システムにおけるマッピング部２の構成を示す。データ系列ｄ（ｔ）１０１は、図１で示したデータ系列ｄ（ｔ）１０１と同一である。
【００３４】
データ順序並び替え２１１、２１２により、データの時系列の順序を並び替え、データ順序並び替え後同相成分用データ系列ｄｉ（ｔ）２０１およびデータ順序並び替え後直交成分用データ系列ｄｑ（ｔ）２０２を得る。このとき、データ順序並び替え２１１と２１２で行う順序並び替えの処理は同一でなくてもよい。図３は、図２におけるデータ順序並び替え後同相成分用データ系列ｄｉ（ｔ）２０１およびデータ順序並び替え後直交成分用データ系列ｄｑ（ｔ）２０２の時系列のデータの並びを示している。なお、ここでのデータ順序並び替え後同相成分用データ系列ｄｉ（ｔ）２０１およびデータ順序並び替え後直交成分用データ系列ｄｑ（ｔ）２０２のデータの並びは一例であり、データ順序並び替え２１１および２１２で行うデータ順序の並び替えの処理は、これに限るものではない。
【００３５】
次に、データ間引き２１３、２１４により、データ系列の間引き処理を行い、データ間引き後同相成分用データ系列ｓｉ（ｔ）２０３およびデータ間引き後直交成分用データ系列ｓｑ（ｔ）２０４を得る。このとき、データ間引き２１３と２１４で行う間引きの処理は同一でなくてもよいが、間引くデータは２１３と２１４で排他的になるように処理を行う。すなわち、送信データ系列ｄ（ｔ）１０１に含まれる各データが、同相成分用データ系列ｓｉ（ｔ）２０３またはデータ間引き後直交成分用データ系列ｓｑ（ｔ）２０４のいずれかに必ず含まれるように間引きを行う。図４は、図２におけるデータ間引き後同相成分用データ系列ｓｉ（ｔ）２０３およびデータ間引き後直交成分用データ系列ｓｑ（ｔ）２０４の時系列のデータの並びを示している。なお、ここでのデータ間引き後同相成分用データ系列ｓｉ（ｔ）２０３およびデータ間引き後直交成分用データ系列ｓｑ（ｔ）２０４のデータの並びは一例であり、データ間引き２１３および２１４で行う間引きの処理は、これに限るものではない。また、ここでの間引き処理は、重複させるデータ数を制限することで伝送効率を向上させることを意図したものであり、全てのデータを重複させる場合は省略してもよい。
【００３６】
その後、ＢＰＳＫマッピング２１５、２１６でＢＰＳＫ変調を行い、ＢＰＳＫ変調後同相成分用データ系列ｂｉ（ｔ）２０５およびデータ選別後直交成分用データ系列ｂｑ（ｔ）２０６を得る。図５は、図２におけるＢＰＳＫ変調後同相成分用データ系列ｂｉ（ｔ）２０５およびＢＰＳＫ変調後データ選別後直交成分用データ系列ｂｑ（ｔ）２０６の時系列のデータの並びを示している。
【００３７】
その後、直交変調２１７において、ＢＰＳＫ変調後同相成分用データ系列ｂｉ（ｔ）２０５およびＢＰＳＫ変調後データ選別後直交成分用データ系列ｂｑ（ｔ）２０６のデータ系列を用いて所望の周波数の搬送波を変調するる直交変調を行い、送信データｘ１（ｔ）２０７を得る。
【００３８】
なお、ここで示した送信データ生成の手順は一例であり、ＢＰＳＫマッピング２１１および２１２に入力されるデータ系列を構成するデータの一部、または全てが重複していれば、各処理を省いてもよいし、順序を並び替えてもよい。また、ここではマッピング方式をＢＰＳＫとして説明したが、必ずしもこれに限るものではない。
【００３９】
続いて、以下、本発明の第1の実施に係る情報伝達装置における受信データの処理方法について、図面を参照しながら説明する。図6は、本発明の第２の実施に係る伝送のデータ受信部６の構成を示している。受信データｒ１（ｔ）６０１に対し、直交復調６１１において直交復調を行い、直交復調後同相成分データ系列ｒ１ｉ（ｔ）６０３と直交復調後同相成分データ系列ｒ１ｑ（ｔ）６０４を得る。図７は、図６における直交復調後同相成分データ系列ｒ１ｉ（ｔ）６０３および直交復調後直交成分データ系列ｒ１ｑ（ｔ）６０４の時系列のデータの並びを示している。なお、ここでの直交復調後同相成分データ系列ｒ１ｉ（ｔ）６０３および直交復調後直交成分データ系列ｒ１ｑ（ｔ）６０４のデータの並びは一例であり、これに限るものではない。また、ここではデータ数を８個として説明するが、これに限られるものではなく、データ数は自然数であればいくつであってもよい。
【００４０】
次に、Ｐ／Ｓ変換６１２において、パラレルに入力される直交復調後同相成分データ系列ｒ１ｉ（ｔ）６０３および直交復調後直交成分データ系列ｒ１ｑ（ｔ）６０４のデータをシリアル系列に変換し、データ系列ｄ１（ｔ）を得る。図８はデータ系列ｄ１（ｔ）６０２の時系列のデータの並びを示している。なお、ここでのデータ系列ｄ１（ｔ）６０２のデータの並びは一例であり、Ｐ／Ｓ変換６１２において入力されるデータのうち、いずれから出力するかの選択を制限するものではない。
【００４１】
以上の処理により、例えば図7に示すように、最短で全受信データのうち、半分まで受信できれば、全送信データを得ることができる。これにより、情報を伝送している期間中に伝送路が変動するような環境においても変動の影響を受けにくくなり、フェージング環境における伝送路変動時の耐性向上が実現できる。
【００４２】
（実施形態２）
図９は、本発明の第２の実施に係る伝送のデータ受信部９の構成を示している。受信データｒ２（ｔ）９０１に対し、直交復調９１１において直交復調を行い、直交復調後同相成分データ系列ｒ２ｉ（ｔ）９０３と直交復調後同相成分データ系列ｒ２ｑ（ｔ）９０４を得る。図１０は、図９における直交復調後同相成分データ系列ｒ２ｉ（ｔ）９０３および直交復調後直交成分データ系列ｒ２ｑ（ｔ）９０４の時系列のデータの並びを示している。なお、ここでの直交復調後同相成分データ系列ｒ２ｉ（ｔ）９０３および直交復調後直交成分データ系列ｒ２ｑ（ｔ）９０４のデータの並びは一例であり、これに限るものではない。また、ここではデータ数を８個として説明するが、これに限られるものではなく、データ数は自然数であればいくつであってもよい。
【００４３】
次に、データ順序並び替え９１２、９１３により、データの時系列の順序を並び替え、データ順序並び替え後同相成分データ系列ｗ２ｉ（ｔ）９０５およびデータ順序並び替え後直交成分データ系列ｗ２ｑ（ｔ）９０６を得る。このとき、データ順序並び替え９１２では、図２に示すデータ順序並び替え２１１のデータ順序の並び替えの処理内容が既知であり、それに基づきデータの順序を並び替える。同様に、データ順序並び替え９１３では、図２に示すデータ順序並び替え２１２のデータ順序の並び替えの処理内容が既知であり、それに基づきデータの順序を並び替える。図１１は、図９におけるデータ順序並び替え後同相成分データ系列ｗ２ｉ（ｔ）９０５およびデータ順序並び替え後直交成分データ系列ｗ２ｑ（ｔ）９０６の時系列のデータの並びを示している。なお、ここでのデータ順序並び替え後同相成分データ系列ｗ２ｉ（ｔ）９０５およびデータ順序並び替え後直交成分データ系列ｗ２ｑ（ｔ）９０６のデータの並びは一例であり、データ順序並び替え９１２および９１３で行うデータ順序の並び替えの処理は、これに限るものではない。
【００４４】
次に、データ選択９１４により、データ順序並び替え後同相成分データ系列ｗ２ｉ（ｔ）９０５およびデータ順序並び替え後直交成分データ系列ｗ２ｑ（ｔ）９０６のデータから、重複するデータのいずれか一方を選択し、データ系列ｄ２（ｔ）９０２を得る。図１２はデータ系列ｄ２（ｔ）９０２の時系列のデータの並びを示している。以上の処理により、例えば図１０に示すように受信データの一部がバースト的に雑音の影響を強く受けた場合でも、図１２に示すように、重複するデータのうち、雑音の影響を受けていないデータを選択することで、安定した受信を実現することが可能となる。
【００４５】
（実施形態３）
図１３は、本発明の第３の実施に係る情報伝送装置のデータ受信部１３の構成を示している。受信データｒ３（ｔ）１３０１に対し、直交復調１３１１において直交復調を行い、直交復調後同相成分データ系列ｒ３ｉ（ｔ）１３０３と直交復調後同相成分データ系列ｒ３ｑ（ｔ）１３０４を得る。図１４は、図１３における直交復調後同相成分データ系列ｒ３ｉ（ｔ）１３０３および直交復調後直交成分データ系列ｒ３ｑ（ｔ）１３０４の時系列のデータの並びを示している。なお、ここでの直交復調後同相成分データ系列ｒ３ｉ（ｔ）１３０３および直交復調後直交成分データ系列ｒ３ｑ（ｔ）１３０４のデータの並びは一例であり、これに限るものではない。また、ここではデータ数を８個として説明するが、これに限られるものではなく、データ数は自然数であればいくつであってもよい。次に、データ順序並び替え１３１２、１３１３により、データの時系列の順序を並び替え、データ順序並び替え後同相成分データ系列ｗ３ｉ（ｔ）１３０５およびデータ順序並び替え後直交成分データ系列ｗ３ｑ（ｔ）１３０６を得る。このとき、データ順序並び替え１３１２では、図２に示すデータ順序並び替え２１１のデータ順序の並び替えの処理内容が既知であり、それに基づきデータの順序を並び替える。同様に、データ順序並び替え１３１３では、図２に示すデータ順序並び替え２１２のデータ順序の並び替えの処理内容が既知であり、それに基づきデータの順序を並び替える。図１５は、図１３におけるデータ順序並び替え後同相成分データ系列ｗ３ｉ（ｔ）１３０５およびデータ順序並び替え後直交成分データ系列ｗ３ｑ（ｔ）１３０６の時系列のデータの並びを示している。なお、ここでのデータ順序並び替え後同相成分データ系列ｗ３（ｔ）１３０５およびデータ順序並び替え後直交成分データ系列ｗ３ｑ（ｔ）１３０６のデータの並びは一例であり、データ順序並び替え１３１２および１３１３で行うデータ順序の並び替えの処理は、これに限るものではない。次に、合成演算１３１１において、データ順序並び替え後同相成分データ系列ｗ３ｉ（ｔ）１３０５およびデータ順序並び替え後直交成分データ系列ｗ３ｑ（ｔ）１３０６のデータから、重複するデータを用いて合成演算を行い、データ系列ｄ３（ｔ）１３０２を得る。図１６はデータ系列ｄ３（ｔ）１３０２の時系列のデータの並びを示している。合成演算１３１１における合成演算により、最大で３ｄＢのパワー利得を得ることで、安定した受信を実現することが可能となる。
【００４６】
（実施形態４）
図１７は、本発明の第４の実施形態に係る情報伝送手段の送信システムにおけるマッピング部１７の構成を示す。図１７において、図２と同一部分には同一符号を付して示す。
【００４７】
ＯＦＤＭ直交変調１７１１において、ＢＰＳＫ変調後同相成分用データ系列ｂｉ（ｔ）２０５およびＢＰＳＫ変調後データ選別後直交成分用データ系列ｂｑ（ｔ）２０６のデータ系列を用いて所望の周波数の搬送波を変調するる直交変調を行い、送信データｘ２（ｔ）１７０１を得る。
【００４８】
なお、ここで示した送信データ生成の手順は一例であり、ＢＰＳＫマッピング２１１および２１２に入力されるデータ系列を構成するデータの一部、または全てが重複していれば、各処理を省いてもよいし、順序を並び替えてもよい。また、ここではマッピング方式をＢＰＳＫとして説明したが、必ずしもこれに限るものではない。
【００４９】
続いて、以下、本発明の第４の実施に係る情報伝達装置における受信データの処理方法について、図面を参照しながら説明する。図１８は、本発明の第４の実施に係る伝送のデータ受信部１８の構成を示している。受信データｒ４（ｔ）１８０１に対し、ＯＦＤＭ復調１８１１においてＯＦＤＭ復調を行い、ＯＦＤＭ復調後同相成分データ系列ｒ４ｉ（ｔ）１８０３とＯＦＤＭ復調後同相成分データ系列ｒ４ｑ（ｔ）１８０４を得る。次に、Ｐ／Ｓ変換１８１２において、パラレルに入力されるＯＦＤＭ復調後同相成分データ系列ｒ４ｉ（ｔ）１８０３およびＯＦＤＭ復調後直交成分データ系列ｒ４ｑ（ｔ）１８０４のデータをシリアル系列に変換し、データ系列ｄ４（ｔ）を得る。
【００５０】
以上の処理により、ＯＦＤＭシンボル内のサブキャリアの配置に対してインターリーブを行う周波数インターリーブと同等の処理を実現でき、安定した情報伝達を実現することができる。
【００５１】
（実施形態５）
図１９は、本発明の第２の実施に係る伝送のデータ受信部１９の構成を示している。受信データｒ５（ｔ）１９０１に対し、ＯＦＤＭ復調１９１１においてＯＦＤＭ復調を行い、ＯＦＤＭ復調後同相成分データ系列ｒ５ｉ（ｔ）１９０３とＯＦＤＭ復調後同相成分データ系列ｒ５ｑ（ｔ）１９０４を得る。次に、データ順序並び替え１９１２、１９１３により、データの時系列の順序を並び替え、データ順序並び替え後同相成分データ系列ｗ５ｉ（ｔ）１９０５およびデータ順序並び替え後直交成分データ系列ｗ５ｑ（ｔ）１９０６を得る。このとき、データ順序並び替え１９１２では、図１７に示すデータ順序並び替え２１１のデータ順序の並び替えの処理内容が既知であり、それに基づきデータの順序を並び替える。同様に、データ順序並び替え１９１３では、図１７に示すデータ順序並び替え２１２のデータ順序の並び替えの処理内容が既知であり、それに基づきデータの順序を並び替える。
【００５２】
次に、データ選択１９１４により、データ順序並び替え後同相成分データ系列ｗ５ｉ（ｔ）１９０５およびデータ順序並び替え後直交成分データ系列ｗ５ｑ（ｔ）１９０６のデータから、重複するデータのいずれか一方を選択し、データ系列ｄ５（ｔ）１９０２を得る。以上の処理により、サブキャリアの一部がバースト的に雑音の影響を強く受けた場合でも、重複するデータのうち、雑音の影響を受けていないデータを選択することで、安定した受信を実現することが可能となる。
【００５３】
（実施形態６）
図２０は、本発明の第６の実施に係る情報伝送装置のデータ受信部２０の構成を示している。受信データｒ６（ｔ）２００１に対し、ＯＦＤＭ復調２０１１においてＯＦＤＭ復調を行い、ＯＦＤＭ復調後同相成分データ系列ｒ６ｉ（ｔ）２００３とＯＦＤＭ復調後同相成分データ系列ｒ６ｑ（ｔ）２００４を得る。
【００５４】
次に、データ順序並び替え２０１２、２０１３により、データの時系列の順序を並び替え、データ順序並び替え後同相成分データ系列ｗ６ｉ（ｔ）２００５およびデータ順序並び替え後直交成分データ系列ｗ６ｑ（ｔ）２００６を得る。このとき、データ順序並び替え２０１２では、図１７に示すデータ順序並び替え２１１のデータ順序の並び替えの処理内容が既知であり、それに基づきデータの順序を並び替える。同様に、データ順序並び替え２０１３では、図１７に示すデータ順序並び替え２１２のデータ順序の並び替えの処理内容が既知であり、それに基づきデータの順序を並び替える。
【００５５】
次に、合成演算２０１１において、データ順序並び替え後同相成分データ系列ｗ６ｉ（ｔ）２００５およびデータ順序並び替え後直交成分データ系列ｗ６ｑ（ｔ）２００６のデータから、重複するデータを用いて合成演算を行い、データ系列ｄ６（ｔ）２００２を得る。合成演算２０１１における合成演算により、最大で３ｄＢのパワー利得を得ることで、安定した受信を実現することが可能となる。
【００５６】
（実施形態７）
図２１は、実施形態７の送信システムのブロック図である。送信システムは、ＢＰＳＫマッピング３００１、第１位相回転回路３００２、第２位相回転回路３００３、第１位相発生回路３００４、第２位相発生回路３００５、Ｓ／Ｐ変換３００６、ＯＦＤＭ変調回路３００７、アンテナから構成される。送信システムには、図１に示したデータ系列ｄ(ｔ)１０１がＢＰＳＫマッピング３００１に供給される。ＢＰＳＫマッピングは、データ系列d（ｔ）１０１を所定のレベルにマッピングし、ＩＱベクトル信号として第１位相回転回路３００２に供給する。第１位相発生回路３００４は、送信側と受信側で予め定められたシーケンスに従い特定の複数位相を発生し、第１位相回路３００２に供給する。第１位相回転回路３００２は、第１位相発生回路３００４の出力位相に従い、ＩＱベクトル信号に位相回転を施し、第２位相回転回路３００３とＳ／Ｐ変換３００６へＩＱベクトル信号を出力する。
第２位相発生回路３００５は、送信側と受信側で予め定められたシーケンスに従い、π／２または−π／２の位相を発生し、第２位相回転回路３００３に供給する。第２位相回転回路３００３は、第２位相発生回路３００５の出力位相に従い、ＩＱベクトル信号に位相回転を施し、Ｓ／Ｐ変換３００６へＩＱベクトル信号を出力する。Ｓ／Ｐ変換回路３００６は、ＩＱベクトル信号をサブキャリアデータとして多重するため、所定のシーケンスに従い、ＩＱベクトル信号をシリアルパラレル変換し、周波数領域ＯＦＤＭサブキャリア信号としてＯＦＤＭシンボル単位でＯＦＤＭ変調回路３００７へ供給する。ＯＦＤＭ変調回路３００７は、周波数領域ＯＦＤＭサブキャリア信号を入力し、ＩＦＦＴ処理により周波数領域から時間領域に変換し、所定のガードインターバル期間を付加し、ＲＦ帯にアップコンバートし、ＲＦ帯の時間領域ＯＦＤＭ信号としてアンテナ３００８から空中に電波として放出する。
【００５７】
図２２はＢＰＳＫマッピング３００１のマッピングを表すＩＱベクトル図である。ｄ（ｔ）＝０の場合は（Ｉ，Ｑ）＝（−１，０）、ｄ（ｔ）＝１の場合は（Ｉ，Ｑ）＝（１，０）のレベルにマッピングされる。次に、第１位相回転回路３００２、第１位相発生回路３００４の動作の詳細を説明する。第１位相発生回路３００４は例えば、所定シーケンスとしてＯＦＤＭパケット送信するデータ系列番号の偶数番号を０位相、奇数番号をπ位相と定める。第１位相回転回路３００２は、入力するＩＱベクトル信号を０またはπ位相回転して出力することで、ＩＱベクトル位相を２値から４値に分散することにより、後段処理の時間領域ＯＦＤＭ信号のＰＡＰＲを小さくする。図２３に第１位相回転回路３００２の出力のＢＰＳＫマッピングのＩＱベクトル図である。データ系列が偶数番号の場合は図２３（ａ）に示す通り（Ｉ，Ｑ）＝（−１，０）、（１，０）となり、データ系列が奇数番号の場合は図２３（ｂ）に示す通り（Ｉ，Ｑ）＝（０，−１）、（０，１）となる。次に図２４に第１位相回転回路３００２と第２位相発生回路の出力の関係を表すＢＰＳＫマッピングのＩＱベクトル図を示す。ＩＱベクトルのマッピングポイントを第１位相回転回路３００２出力を白丸、第２位相回転回路３００３の出力を黒丸で表すと、第２位相回転回路３００３の出力は、ｔが偶数、奇数番号に関わらず、π／２または−π／２位相を回転することから、第１位相回転回路３００２と直交関係になる。この位相の分散性を利用することにより、同一データをＯＦＤＭシンボルに繰り返し多重した時間領域ＯＦＤＭ信号のＰＡＰＲを小さくすることが可能となる。図２５は、Ｓ／Ｐ変換３００６の出力である周波数領域ＯＦＤＭサブキャリア周波数配置の模式図である。
【００５８】
横軸は周波数方向を表し、サブキャリア番号、−２６〜−１、１〜２６にＩＱベクトル信号となったデータとパイロット信号が多重されている。ここで実線はデータを表し、破線はパイロット信号を表す。例えば、図２５に示すように、Ｓ／Ｐ変換３００６は同一データｄ（ｔ）の一方である、第１位相回転回路３００２のＩＱベクトル信号を負のサブキャリア番号に多重し、第２位相回転回路３００３のＩＱベクトル信号を正のサブキャリア番号に多重し、ＯＦＤＭ変調回路に出力する。
【００５９】
図２６は、受信システムのブロック図である。アンテナ４００１は空中のＲＦ帯の時間領域ＯＦＤＭ信号を入力する。アンテナ４００１は時間領域ＯＦＤＭ信号をＯＦＤＭ復調回路へ供給する。ＯＦＤＭ復調回路４００２は、所定のＯＦＤＭ復調処理をし、ＩＱベクトルからなる周波数領域ＯＦＤＭサブキャリア信号を出力する。Ｐ／Ｓ変換４００３は、負のサブキャリア番号のＩＱベクトル信号を番号の小さいものから順に時分割多重して、第１位相回転回路４００４へ供給する。また並行して正のサブキャリア番号のＩＱベクトル信号を番号の小さいものから順に時分割多重して、第２位相回転回路４００６へ供給する。
【００６０】
第１位相発生回路４００５は、送受信で予め定められたシーケンスに従い、送信側で施された位相回転を元に戻す位相を発生し、第１位相回転回路４００４と加算器４００９へ供給する。第２位相回転回路４００４は、ＩＱベクトル信号に位相回転を施し、合成演算４０１０へ出力する。
【００６１】
第２位相発生回路４００７は、送受信で予め定められたシーケンスに従い、送信側で施された位相回転を元に戻す位相を発生し、加算器４００８へ供給する。加算器４００８は、第１位相発生回路４００５と第２位相回転回路４００８の発生する位相を加算し、第２位相回転回路４００６へ供給する。第２位相回転回路４００６は、ＩＱベクトル信号に位相回転を施すことにより、送信側で、分散された位相を元に戻し、合成演算４００９へ供給する。合成演算４００９は、同一データであって異なるサブキャリアに多重されたＩＱベクトル信号を合成加算し、ＢＰＳＫデマッピング４０１０へ供給する。ＢＰＳＫデマッピング４０１０は、ＩＱベクトル信号をデマッピングし、ビットデータとして出力する。
【００６２】
以上のように本実施形態では、異なるデータ間と同一データ間で周波数領域サブキャリア信号の位相を分散することにより、時間領域ＯＦＤＭ信号のＰＡＰＲを小さくすることが可能となる。
【００６３】
また、同一データを異なる周波数に繰り返し割り当てることにより、受信側では周波数ダイバーシティ効果を利用して、同一データが多重されたサブキャリアを合成演算することで、受信特性を向上させることができる。さらに受信器側で、各サブキャリア毎の信頼性を用いて、同一データが多重されたサブキャリアを、信頼性の重み付けをして合成演算することで、周波数選択性マルチパスフェージング環境が発生するモバイル受信特性を向上させることができる。
【００６４】
なお、第１位相発生回路３００４は、偶数番号を０位相、奇数番号をπ／２としたが、これに限るものではない。たとえばＯＦＤＭパケット送信するデータの先頭を基準として、ＰＮ系列を発生させその値によりランダムに位相を変える。またはモジュロ演算により位相を変える等によっても同様の効果を得ることが出来ることは言うまでもない。さらに位相についても０、π／２だけではなく、π／２Ｎ（Ｎは正の整数）を基準としたπ×Ｍ／２Ｎ（Ｍは整数）の場合でも同様の効果を得ることができる。さらに第２位相発生回路３００５出力は、同一データのベクトル信号の位相関係が直交していればよいことから、π／２、−π／２何れか一方であっても同様の効果を有することは言うまでもない。さらに、Ｓ／Ｐ変換３００６は、同一データのサブキャリア配置を正負の周波数にそれぞれ割り当てたが、同一データのＩＱベクトル信号が互いに直交関係であればよく周波数割り当てを限定するものではないことは言うまでもない。
【００６５】
さらに、本実施形態では、ＢＰＳＫマッピングを用いたが、同一データのサブキャリア配置を正負の周波数にそれぞれ割り当てたが、同一データのＩＱベクトル信号が互いに直交関係であればよく、MＰＳＫ、多値ＱＡＭであっても同様の効果が得られることは言うまでもない。
【００６６】
（実施形態８）
図２７は、実施形態８の送信システムのブロック図である。図２７において同一機能のブロックについては、同一符号を付して示す。実施形態８は、実施形態７とは異なり、遅延回路３０１０とデータ順序並び替え３０１１が追加され、３０１１ＢＰＳＫマッピング３００１の代わりにＱＰＳＫマッピング３００９で構成される。データ系列d（ｔ）１０１は遅延回路３０１０と、データ順序並び替え３０１１に供給される。遅延回路３０１０は、１ＯＦＤＭシンボルに多重されるデータ数を遅延する。図２８に、ＱＰＳＫマッピング入力データのタイミングチャートを示す。
【００６７】
データ順序並び替え３０１１は、１ＯＦＤＭシンボル単位でデータを並びかえる。例えば、１ＯＦＤＭシンボルは２４データサブキャリアで構成されるとすると、遅延回路３０１０は、そのデータ数の半分の１２データのデータ系列ｄ（０）〜ｄ（１１）分を遅延して出力する。並行して、データ順序並び替え３０１１は、データ系列ｄ（０）〜ｄ（１１）を入力し、データを並べ替えｄ（１１）〜ｄ（０）の順序で出力する。以降、遅延回路３０１０は、ｄ（１２）〜ｄ（２３）、データ順序並び替え３０１１は、ｄ（２３）〜ｄ（１２）をそれぞれ同一タイミングで出力する。表１及び表２にＱＰＳＫマッピングのbitレベル変換表を示す。
【００６８】
【表１】
2014039091.tif 000003
【００６９】
【表２】
2014039091.tif 000004
【００７０】
表１及び表２のbitレベル変換表に従いマッピングが施され、第１位相回転回路３００２へＩＱベクトル信号を供給する。以降実施形態７の処理と同様であり、実施形態７と同じく、１ＯＦＤＭシンボル内に同一データを異なるサブキャリア多重し、その同一データの異なるサブキャリア間のＩＱベクトル信号の位相はπ／２シフトした関係にすることができる。
【００７１】
図２９は、実施形態８の受信システムブロック図である。図２９において同一機能のブロックについては、同一符号を付して示す。実施形態８は、実施形態７とは異なり、ＢＰＳＫデマッピング４０１０が、ＱＰＳＫデマッピング４０１１に置き換わった構成である。
【００７２】
以上のように本実施形態では、異なるデータ間と同一データ間で周波数領域サブキャリア信号の位相を分散することにより、時間領域ＯＦＤＭ信号のＰＡＰＲを小さくすることが可能となる。
【００７３】
また、同一データを異なる周波数に繰り返し割り当てることにより、受信側では周波数ダイバーシティ効果を利用して、同一データが多重されたサブキャリアを合成演算することで、受信特性を向上させることができる。さらに受信器側で、各サブキャリア毎の信頼性を用いて、同一データが多重されたサブキャリアを、信頼性の重み付けをして合成演算することで、周波数選択性マルチパスフェージング環境が発生するモバイル受信特性を向上させることができる。
【００７４】
また、上記の各実施の形態における情報伝達手段および情報伝達装置の各構成要素は、集積回路であるＬＳＩで実現してもよい。このとき、各構成要素は、個別に１チップ化されてもよいし、一部もしくは全てを含むように１チップ化されてもよい。また、ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセサで実現してもよい。また、集積回路化の手法はＬＳＩに限られるものではなく、専用回路又は汎用プロセサで実現してもよい。ＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセサを利用してもよい。さらに、半導体技術の進歩又は派生する別技術によりＬＳＩに置き換わる集積回路化の技術が登場すれば、当然その技術を用いて機能ブロックの集積化を行ってもよい。バイオ技術の適用等が可能性としてあげられる。
【００７５】
また、上記の各実施の形態で示した情報伝達手段および情報伝達装置の動作の手順の少なくとも一部をプログラムに記載し、例えばＣＰＵ（Ｃｅｎｔｒａｌ  Ｐｒｏｃｅｓｓｉｎｇ  Ｕｎｉｔ）がメモリに記憶された当該プログラムを読み出して実行するようにしてもよいし、上記プログラムを記録媒体に保存して頒布等するようにしてもよい。
【００７６】
また、上記の各実施の形態の情報伝達手段および情報伝達装置は、記載した送信処理もしくは受信処理の少なくとも一部を行う送信方法または受信方法を用いて実現してもよい。
【００７７】
また、上記の各実施の形態を実現する送信処理または受信処理の一部を行ういかなる送信装置、送信方法、送信回路、受信装置、又は受信方法、又は受信回路、又はプログラムを組み合わせて上記の各実施の形態を実現してもよい。例えば、上記の各実施の形態で説明した受信装置の構成の一部を受信装置又は集積回路で実現し、その一部を除く構成が行う動作の手順を受信プログラムに記載し、例えばＣＰＵがメモリに記憶された当該プログラムを読み出して実行することによって実現してもよい。
【産業上の利用可能性】
【００７８】
本発明は、通信や放送等の情報伝達システムに適用することができる。
【符号の説明】
【００７９】
１０１  送信データ系列
２  送信システムにおけるマッピング部
２０１  データ順序並び替え後同相成分用データ系列
２０２  データ順序並び替え後直交成分用データ系列
２０３  データ間引き後同相成分用データ系列
２０４  データ間引き後直交成分用データ系列
２０５  ＢＰＳＫ変調後同相成分用データ系列
２０６  ＢＰＳＫ変調後直交成分用データ系列
２０７  本発明の実施による送信データ
２１１、２１２  データ順序並び替え
２１３、２１４  データ間引き
２１５、２１６  ＢＰＳＫマッピング
２１７  直交変調
６  データ受信部
６０１  受信データ
６０２  受信処理後のデータ系列
６０３  直交復調後同相成分データ系列
６０４  直交復調後直交成分データ系列
６１１  直交復調
６１２  Ｐ／Ｓ
９  データ受信部
９０１  受信データ
９０２  受信処理後のデータ系列
９０３  直交復調後同相成分データ系列
９０４  直交復調後直交成分データ系列
９０５  データ順序並び替え後同相成分データ系列
９０６  データ順序並び替え後直交成分データ系列
９１１  直交復調
９１２、９１３  データ順序並び替え
９１４  データ選択
１３  データ受信部
１３０１  受信データ
１３０２  受信処理後のデータ系列
１３０３  直交復調後同相成分データ系列
１３０４  直交復調後直交成分データ系列
１３０５  データ順序並び替え後同相成分データ系列
１３０６  データ順序並び替え後直交成分データ系列
１３１１  直交復調
１３１２、１３１３  データ順序並び替え
１３１４  合成演算
１７  送信システムにおけるマッピング部
１７０１  本発明の実施による送信データ
１７１１  ＯＦＤＭ変調
１８  データ受信部
１８０１  受信データ
１８０２  受信処理後のデータ系列
１８０３  ＯＦＤＭ復調後同相成分データ系列
１８０４  ＯＦＤＭ復調後直交成分データ系列
１８１１  ＯＦＤＭ復調
１８１２  Ｐ／Ｓ
１９  データ受信部
１９０１  受信データ
１９０２  受信処理後のデータ系列
１９０３  ＯＦＤＭ復調後同相成分データ系列
１９０４  ＯＦＤＭ復調後直交成分データ系列
１９０５  データ順序並び替え後同相成分データ系列
１９０６  データ順序並び替え後直交成分データ系列
１９１１  ＯＦＤＭ復調
１９１２、１９１３  データ順序並び替え
１９１４  データ選択
２０  データ受信部
２００１  受信データ
２００２  受信処理後のデータ系列
２００３  ＯＦＤＭ復調後同相成分データ系列
２００４  ＯＦＤＭ復調後直交成分データ系列
２００５  データ順序並び替え後同相成分データ系列
２００６  データ順序並び替え後直交成分データ系列
２０１１  ＯＦＤＭ復調
２０１２、１３１３  データ順序並び替え
２０１４  合成演算
３００８、４００１  アンテナ
４００８  加算器
【図１】
2014039091.tif 000005
【図２】
2014039091.tif 000006
【図３】
2014039091.tif 000007
【図４】
2014039091.tif 000008
【図５】
2014039091.tif 000009
【図６】
2014039091.tif 000010
【図７】
2014039091.tif 000011
【図８】
2014039091.tif 000012
【図９】
2014039091.tif 000013
【図１０】
2014039091.tif 000014
【図１１】
2014039091.tif 000015
【図１２】
2014039091.tif 000016
【図１３】
2014039091.tif 000017
【図１４】
2014039091.tif 000018
【図１５】
2014039091.tif 000019
【図１６】
2014039091.tif 000020
【図１７】
2014039091.tif 000021
【図１８】
2014039091.tif 000022
【図１９】
2014039091.tif 000023
【図２０】
2014039091.tif 000024
【図２１】
2014039091.tif 000025
【図２２】
2014039091.tif 000026
【図２３】
2014039091.tif 000027
【図２４】
2014039091.tif 000028
【図２５】
2014039091.tif 000029
【図２６】
2014039091.tif 000030
【図２７】
2014039091.tif 000031
【図２８】
2014039091.tif 000032
【図２９】
2014039091.tif 000033